(57)【要約】【課題】開放側の保持部材上方からのガラス板などの透明板の嵌装時において、該透明板が保持部材から離脱し、透明板と下部分の保持部材との平面上での位置関係が異なってしまった場合であっても、透明板の落下を防止することが可能な遊技機を提供する。【解決手段】遊技機本体枠の一側を回動軸として回動可能に取り付けた透明板保持枠３裏側の回動軸側保持部材１２と開放側保持部材１３との間隔が、上方から開放側保持部材１３に沿って嵌装した透明板４を下部分側保持部材１４に到達させた後に、該下部分側保持部材に沿って前記回動軸側保持部材方向に移動させることによって、透明板取付位置に取り付けるための移動空間を確保して構成されている遊技機であって、透明板保持枠３の裏側には、前記開放側保持部材に沿って前記透明板嵌装可能部１５の上方から嵌装している最中に離脱した透明板４の落下を防止する透明板落下防止部５１を備えた。【選択図】    図３
2007020946.tif 000002
【特許請求の範囲】
【請求項１】
遊技機本体枠の一側を回動軸として回動可能に透明板保持枠が取り付けられ、該透明板保持枠は、裏側に備えた保持部材を介して透明板を着脱可能に保持し、
前記保持部材は、前記透明板保持枠裏側の回動軸側と開放側及び下部分に備えるとともに、上部分を開放することにより透明板嵌装可能部を構成し、
前記回動軸側の保持部材と開放側の保持部材との間隔は、前記透明板嵌装可能部の上方から前記開放側の保持部材に沿って嵌装した透明板が、下部分の保持部材に到達した後に、該下部分の保持部材に沿って前記回動軸側の保持部材方向に移動させることによって、透明板取付位置に取り付けるための移動空間を確保して構成されている遊技機であって、
前記透明板保持枠の裏側には、前記開放側の保持部材に沿って前記透明板嵌装可能部の上方から嵌装している最中に離脱した透明板の落下を防止する透明板落下防止部を備えたことを特徴とする遊技機。
【請求項２】
透明板落下防止部は、下部分の保持部材近傍に備えられ、
離脱した透明板を上面にて受ける透明板受面を有することを特徴とする請求項１に記載の遊技機。
【請求項３】
透明板落下防止部は、少なくとも開放側の保持部材の上端と対角をなす位置に備えたことを特徴とする請求項２に記載の遊技機。
【請求項４】
透明板落下防止部は、透明板受面で受け止めた透明板を支持する透明板支持部を有することを特徴とする請求項２又は３に記載の遊技機。
【請求項５】
離脱した透明板を透明板受面へと案内する透明板案内部を有することを特徴とする請求項２乃至４のいずれかに記載の遊技機。
【請求項６】
透明板案内部は、透明板受面方向へ向けて下り傾斜状の透明板ガイド面を有していることを特徴とする請求項５に記載の遊技機。
【請求項７】
透明板ガイド面は、透明板保持枠の開放側寄りの端部から回動軸側寄りの端部へ向けて昇り傾斜状に構成されていることを特徴とする請求項６に記載の遊技機。
【請求項８】
透明板ガイド面は、透明板保持枠の開放側寄りの端部から回動軸側寄りの端部に行くに従って、幅広状に形成されていることを特徴とする請求項６又は７に記載の遊技機。
【請求項９】
透明板落下防止部は、保持部材と一体に設けられていることを特徴とする請求項１乃至８のいずれかに記載の遊技機。
【発明の詳細な説明】
【技術分野】
【０００１】
本発明は、遊技機、詳しくは、裏側に備えた保持部材を介して透明板を着脱可能に取り付けた透明板保持枠を有し、該透明板保持枠が遊技機本体枠に対して回動可能に備えられている遊技機に関する。なお、本発明の遊技機は、いわゆるパチンコ機と称される弾球遊技機、いわゆるパチスロ機と称される回動式遊技機の双方を対象としている。
【背景技術】
【０００２】
例えば弾球遊技機（いわゆるパチンコ機）には、多数の遊技釘や遊技球誘導部材（例えばステージや天通路等）などの各種遊技部材を設けて遊技球の転動する遊技領域を構成している遊技盤が遊技機本体枠に取り付けられており、前記遊技盤は、遊技機本体枠の一側にヒンジなどを介して回動可能に取り付けられた透明板保持枠の透明板（例えばガラス板など）を介して視認可能に構成されている。
このような弾球遊技機において、透明板は、透明板保持枠の裏側に備えた保持部材を介して着脱可能に取り付けられているのが一般的である。
【０００３】
従来、このように透明板保持枠を回動可能に備えた弾球遊技機として特許文献１が開示されており、この特許文献１において、保持部材は、回動軸側の保持部材と開放側の保持部材と夫々の保持部材の下端領域にわたって連通して備えられた下部分の保持部材とで構成され、上部分は開放した空間である透明板嵌装部とし、前記回動軸側の保持部材と開放側の保持部材と下部分の保持部材とで構成されている透明板の保持部材空間は、嵌装される透明板が嵌り合う程度の大きさに構成されている。
そして、透明板を前記透明板嵌装部を介して上方より嵌装して取り付ける構成としている。
【０００４】
ところで、この種の弾球遊技機では、例えば遊技機本体枠の上方にランプ飾りやスピーカなどが前方に向けて突出状に備えられていたり、またこれらランプ飾りやスピーカなどが透明板保持枠に備えられ、これらの配線がヒンジ側（回動軸側）に取り回されていたりするものがある。
【０００５】
このような弾球遊技機において、前記特許文献１に開示の先行技術では、透明板が嵌り合う程度の大きさに保持部材を構成していることから、透明板保持枠を十分に開放させてからでなければ、透明板着脱の際に、前記各配線やランプ飾り，スピーカなどに干渉してしまうため、透明板保持枠開放のための作業スペース（開放スペース）を十分に確保しなければならないという煩わしさがあった。
また、透明板着脱の際に、透明板が各配線やランプ飾り，スピーカなどの部材と干渉し易いものであったため、各配線，各部材あるいは透明板の損傷を招く虞があった。
【０００６】
そこで本願出願人は、上述の特許文献１に開示の技術が抱えていた課題を解決すべく特許文献２に開示の新規有用な遊技機を先に提供している。
この特許文献２に開示の遊技機は、回動軸側に備えた保持部材と開放側に備えた保持部材の間隔を、上方から嵌装される透明板の幅寸法（透明板の厚みと直交する方向の寸法）よりも大きくし、透明板を開放側の保持部材に沿って嵌装し、下部分の保持部材に到達した後、回動軸側の保持部材方向に向けて移動させ、所定位置にて透明板を取付保持させる構成としている。
【０００７】
この特許文献２に開示の遊技機によれば、透明板保持枠の回動軸と離れた位置から透明板を着脱することが可能となる。従って、たとえ透明板保持枠の開放角度が小さい場合であっても、透明板が、透明板保持枠裏側に配した配線や、遊技機本体枠に備えたランプ飾り，スピーカなどの部材と干渉する虞が少なく、透明板着脱の作業性が向上する。また、透明板との干渉による配線や各部材あるいは透明板の損傷の心配も無くなり安全面での向上も図れる。
このように特許文献２に開示の遊技機によれば、上述のような特有の作用効果が達成でき従来から抱えていた課題を十分に解決し得るものであるが、この特許文献２に開示の遊技機において次のような新たな課題が生じたため、本願出願人は本願出願に係る遊技機の提供に至ったものである。
すなわち、この特許文献２に開示の遊技機の場合、例えば図１７に示すように、開放側保持部材１００と回動軸側保持部材２００との間隔が、上方より嵌装される透明板３００の幅寸法（透明板の厚さ方向と直交する方向の寸法）よりも大きく設計されているものであるため、開放側保持部材１００に沿って透明板３００を上方から嵌装したときに、該開放側保持部材１００に沿う透明板３００の端部と相反する端部側は保持されていないことから、透明板３００が回動軸側保持部材２００方向にずれてしまう虞がある。
例えば、開放側保持部材１００に沿って透明板３００を嵌装している最中に、透明板３００が回動軸側保持部材２００方向にずれ、透明板３００の下方側が前記開放側保持部材１００から離脱したとすると、透明板３００は、開放側保持部材１００の上端位置付近の一点（符号Ｘで示す）でしか支持されていない状態となり、奥行き方向（透明板の厚さ方向）及び平面方向（開放側から回動軸側へと向かう方向）に対して不安定となる。このような状態においては、該透明板３００の下面と下部分側保持部材４００との平面上での位置関係が異なってしまう場合がある。このような事態が生じてしまうと、透明板３００は前記下部分側保持部材４００によって保持し得ないこととなってしまうため、透明板３００が遊技機から落下してしまう虞があり、透明板の破損を招く虞がある。
【特許文献１】特開２００２−８５７５８号公報
【特許文献２】特願２００５−４６４８４
【発明の開示】
【発明が解決しようとする課題】
【０００８】
本発明は、このような問題を解決するためになされており、その目的とするところは、開放側の保持部材上方からのガラス板などの透明板の嵌装時において、該透明板が保持部材から離脱し、透明板と下部分の保持部材との平面上での位置関係が異なってしまった場合であっても、透明板の落下を防止することが可能な遊技機を提供することである。
【課題を解決するための手段】
【０００９】
このような目的を達成するために、第１の発明は、遊技機本体枠の一側を回動軸として回動可能に透明板保持枠３が取り付けられ、該透明板保持枠３は、裏側に備えた保持部材１１を介して透明板４を着脱可能に保持し、前記保持部材１１は、前記透明板保持枠３裏側の回動軸側と開放側及び下部分に備えるとともに、上部分を開放することにより透明板嵌装可能部１５を構成し、前記回動軸側の保持部材１２と開放側の保持部材１３との間隔は、前記透明板嵌装可能部１５の上方から前記開放側の保持部材１３に沿って嵌装した透明板４が、下部分の保持部材１４に到達した後に、該下部分の保持部材１４に沿って前記回動軸側の保持部材１２方向に移動させることによって、透明板取付位置に取り付けるための移動空間を確保して構成されている遊技機であって、前記透明板保持枠３の裏側には、前記開放側の保持部材１３に沿って前記透明板嵌装可能部１５の上方から嵌装している最中に離脱した透明板４の落下を防止する透明板落下防止部５１を備えたことを特徴とする遊技機としたことである。
【００１０】
本発明によれば、上述のような構成を採用したことで、透明板着脱時における作業性を向上するとともに、スピーカなどの各部品や各配線との透明板の干渉を避けて安全面の向上を図りつつも、次の新規有用な作用効果を達成することができる。
すなわち、透明板嵌装可能部１５の上方から前記開放側の保持部材１３に沿って透明板４を嵌装している最中に、該透明板４が開放側の保持部材１３から離脱し、透明板４と下部分の保持部材１４との平面上での位置関係が異なってしまった場合であっても、透明板４が遊技機から落下することを防止することができる。
【００１１】
第２の発明は、第１の発明において、透明板落下防止部５１は、下部分の保持部材１４近傍に備えられ、離脱した透明板４を上面にて受ける透明板受面５２を有することを特徴とする遊技機としたことである。
【００１２】
本発明によれば、透明板嵌装可能部１５の上方から、開放側の保持部材１３に沿って透明板４を嵌装している最中に、該透明板４がいずれの位置において離脱したとしても、下部分の保持部材１４近傍に備えた透明板落下防止部５１の透明板受面５２で確実に透明板４を支えることができ、透明板４の落下防止効果の実効が図れる。
【００１３】
第３の発明は、第２の発明において、透明板落下防止部５１は、少なくとも開放側の保持部材１３の上端と対角をなす位置に備えたことを特徴とする遊技機としたことである。
【００１４】
本発明によれば、例えば、開放側の保持部材１３に沿って透明板４を嵌装しているときに、透明板４が回動軸側の保持部材１２方向にずれ、透明板４の下方側が開放側の保持部材１３から離脱したとしても、透明板４を、透明板４の嵌装開始位置である開放側の保持部材１３の上端位置付近と、該上端付近と対角をなす位置に備えた透明板落下防止部５１との２点で対角に支持することができ、効率よく透明板４の落下を確実に防止することができる。
【００１５】
第４の発明は、第２又は第３の発明において、透明板落下防止部５１は、透明板受面５２で受け止めた透明板４を支持する透明板支持部５３を有することを特徴とする遊技機としたことである。
【００１６】
本発明によれば、透明板受面５２で受け止めた透明板４を安定して支えることができ、受け止めた後の不慮の事故を未然に防止することができる。すなわち、透明板受面５２で受け止めた透明板４が、該透明板受面５２から奥行き方向にずれることを透明板支持部５３によって抑止することができ、透明板受面５２で受け止めた後の落下を防止できる。
【００１７】
第５の発明は、第４の発明において、透明板支持部５３には、離脱した透明板４を、透明板受面５２へと案内する透明板案内部５４を有することを特徴とする遊技機としたことである。
【００１８】
本発明によれば、開放側の保持部材１３から離脱した透明板４を、透明板案内部５４によって確実に透明板受面５２へと案内できるので、透明板４の落下をより確実に防止することができる。
【００１９】
第６の発明は、第５の発明において、透明板案内部５４は、透明板受面５２方向へ向けて下り傾斜状の透明板ガイド面５５を有していることを特徴とする遊技機としたことである。
【００２０】
本発明によれば、離脱した透明板４が透明板受面５２から外方にずれたときに、透明板４を透明板案内部５４の透明板ガイド面５５に沿って、透明板受面５２へと自重により案内することができる。従って、透明板受面５２方向への案内を確実にすることで、透明板４の落下をより確実に防ぐことができる。
【００２１】
第７の発明は、第６の発明において、透明板ガイド面５５は、透明板保持枠３の開放側寄りの端部５５ａから回動軸側寄りの端部５５ｂへ向けて昇り傾斜状に構成されていることを特徴とする遊技機としたことである。
【００２２】
本発明によれば、離脱した透明板４は、例えば開放側の保持部材１３の上端位置付近のみで保持され、背面視で右上がり状となるため、透明板４の下端に沿って透明板ガイド面５５で受け止めやすくなり、より確実に透明板受面５２への透明板４の案内を行うことができる。
【００２３】
第８の発明は、第６又は第７の発明において、透明板ガイド面５５は、透明板保持枠３の開放側寄りの端部５５ａから回動軸側寄りの端部５５ｂに行くに従って、幅広状に形成されていることを特徴とする遊技機としたことである。
【００２４】
本発明によれば、離脱した透明板４が、開放側の保持部材１３と接している一点を支点として平面方向に移動した場合に、透明板ガイド面５５によって効率よくサポートすることができる。
【００２５】
第９の発明は、第１乃至第８のいずれかの発明において、透明板落下防止部５１は、保持部材１１と一体に設けられていることを特徴とする遊技機としたことである。
【００２６】
本発明によれば、部品点数の増加を抑えることができ、製品コストの抑制及び部品管理コストの抑制が図れる。
【発明の効果】
【００２７】
本発明によれば、開放側の保持部材上方からのガラス板などの透明板の嵌装時において、該透明板が保持部材から離脱し、透明板と下部分の保持部材との平面上での位置関係が異なってしまった場合であっても、透明板の落下を防止することが可能な遊技機が提供できる。
【発明を実施するための最良の形態】
【００２８】
以下、本発明の一実施形態について説明する。なお、本実施形態は本発明の一例にすぎずなんらこれに限定解釈されるものではなく、本発明の範囲内で設計変更可能である。
【実施例１】
【００２９】
本実施例では、本発明を適用する遊技機の一例として弾球遊技機（パチンコ機ともいう）をもって説明する。
図１は、本発明を適用した弾球遊技機の一例を示す概略斜視図で、図２乃至図５は、透明板保持枠３の概略図である。
【００３０】
弾球遊技機は、外枠１と内枠２にて構成された遊技機本体枠を備え、図１に示すように、外枠１の前面に内枠（ベースドア）２が回動自在に軸支され、該内枠２の前面には、遊技盤ベースに始動入賞口や遊技釘などの種々の遊技部材を備えて構成した図示しない遊技盤が着脱自在に装着され、該遊技盤の背面には図示しない表示装置が着脱自在に装着されている。なお、遊技盤及び表示装置は特に限定されず本発明の範囲内で設計変更可能である。
そして、前記内枠２の前面には、図１に示すように、透明ガラス板などの透明板４を嵌めた透明板保持枠（フロント扉）３が前記内枠２の前面側の一側を回動軸（ヒンジ部）１０として回動自在に軸支され、該透明板保持枠３の閉鎖時には、該透明板保持枠３の前側から透明板４を介して前記図示しない遊技盤が視認される。
また、前記透明板保持枠３の配設位置よりも上方の内枠２の前面には、音による演出装置としてのスピーカ２３が備えられている。
【００３１】
そして、本実施例において、透明板保持枠３は、前記内枠２の前面側の一側に回動自在に軸支されるベース板３ｄを備え、該ベース板３ｄの前面側に、光による演出装置としてのランプ飾り２４などの装飾部材が備えられ、裏面側には、該保持枠３の前後面に開口して設けられている窓部９の周囲に、少なくとも上部に透明板４を嵌装可能な透明板嵌装可能部１５を有した保持部材１１が備えられ、該保持部材１１を介して透明板４が着脱可能に保持されている。
また、本実施例では、二枚の透明板４，４が前後に所定の間隔をあけて夫々着脱可能に保持部材１１に保持されている。なお、透明板４の配設枚数は本実施例になんら限定解釈されるものではなく、単数枚若しくは二枚以上であってもよい。また、透明板４として、本実施例では、透明ガラス板をもって説明するが、特に限定されず、透明合成樹脂板などであってもよい。
【００３２】
前記透明板保持枠３の前面下部には、払出装置から払い出された遊技球が遊技球受入口５ａから供給されるとともに、発射装置へと遊技球を供給するための遊技球供給皿（上皿）５を一体的に備えている（図１参照）。
そして、前記透明板保持枠３を軸支した内枠２の前面下部には、前記遊技球供給皿５満杯時に遊技球受入口５ａの内方で溢れ出た球を排出する下皿排出口６ａを有する下皿６を備えた取付ベース７が回動自在に軸支されている。
また、図１で示す符号８は、遊技球を遊技領域へ向けて発射する発射装置のハンドルで、該ハンドル８のレバー８ａを時計回り方向に回転させることにより発射停止スイッチがONとなり、駆動する図示しない発射ソレノイドにより槌先が作動して、遊技球供給皿５から供給された遊技球を叩打して遊技球を遊技盤に備えられた遊技領域に打ち出す。
【００３３】
前記保持部材１１は、それぞれ端部を開放した二本の平行なレール部１２ａ・１２ａ，１３ａ・１３ａ…（スライド溝部）を内面側に備えて構成されており、例えば本実施例においては、透明板保持枠３の回動軸１０側に備えた回動軸側保持部材１２と、透明板保持枠３の開放側に備えた開放側保持部材１３と、透明板保持枠３の下部分側に備えた下部分側保持部材１４とで構成されているとともに、透明板保持枠３の上部分（図２乃至図４にて、透明板保持枠３の裏側から見て正面視上側）を開放することにより透明板嵌装可能部１５を構成している。
本実施例では、下部分側保持部材１４は、金属によって成形しているが、回動軸側保持部材１２と開放側保持部材１３の双方は、軽量化等の要請により樹脂成形している。なお、保持部材１１の材料は特に限定されない。
【００３４】
回動軸側保持部材１２は、例えば透明板保持枠３の開放側１６に向けて開放した二本の平行なレール部１２ａ，１２ａを内面側に備えて窓部９の縦方向開口幅Ｈ１よりも長尺状に樹脂材料をもって形成されており、該夫々のレール部１２ａの上下端部は上下方向に向けて開放されている。また、本実施例では、上下位置の前後側面に横方向に延設した透明板離脱防止片１２ｂ，１２ｂを備えて、嵌装後における透明板４の前後方向への離脱を防止する構造としている。
そして、回動軸側保持部材１２は、前記透明板保持枠３裏側の回動軸１０側（図２乃至図４にて、透明板保持枠３の裏側から見て正面視右側）にて、透明板保持枠３の回動軸側縦枠部３ａと平行で、かつ窓部９よりも回動軸１０寄りに取り付けられている。
さらに、本実施例では、樹脂製の回動軸側保持部材１２の成形時におけるヒケ等の防止のために、このレール部１２ａの高さ方向略中央部分を所定範囲にわたって切欠き成形している。図中１２ｃは、切欠き領域を示す。
【００３５】
本実施例では、図２乃至図９に示すように、回動軸側保持部材１２の奥行き方向奥側のレール部１２ａの下端側に設けられている透明板離脱防止片１２ｂの外側の面（奥行き方向奥側の面）に、透明板落下防止部５１を一体に備えている。
すなわち、嵌装後の透明板４の離脱は、前記透明板離脱防止片１２ｂによって防止されているが、開放側保持部材１３に沿って前記透明板嵌装可能部１５の上方から嵌装している最中に透明板４が離脱した場合には、遊技機外に落下してしまう虞があり、透明板落下防止部５１は、このように嵌装中の透明板４のずれ落ちを防止するものである。
【００３６】
本実施例の透明板落下防止部５１は、前記透明板離脱防止片１２ｂの外側の面で、下部分側保持部材１４よりも遊技機の高さ方向上方にて、奥行き方向（水平方向）に一体に突出する透明板受面５２を備えている。
透明板落下防止部５１は、下部分側保持部材１４近傍で、かつ少なくとも開放側保持部材１３の上端と対角をなす位置に備えられていればよく、その配設領域は限定されない。
【００３７】
透明板落下防止部５１は、本実施例では、回動軸側保持部材１２と一体に形成されているが、保持部材１２とは別体に形成されているものであってもよい。
透明板受面５２は、離脱した透明板４を上面にて受けることが可能なように、下部分側保持部材１４と略平行な所定領域の平坦面に形成されている。
本実施例では、特に図示はしないが、この透明板受面５２の所定領域に、離脱した透明板４の接触時の衝撃を緩和する緩衝部材を備えることも本発明の範囲内である。緩衝部材としては、離脱時の透明板４の衝撃を吸収緩和し得るものであれば、ゴム、合成樹脂など所定の材料から構成されるものが適用可能である。配設領域も限定されず、透明板受面５２の全域であっても、部分的であってもよい。
【００３８】
また、本実施例の透明板落下防止部５１には、前記透明板受面５２で受け止めた透明板４を支持し、該透明板受面５２で受け止めた透明板４を奥行き方向（図６にて矢印Ｙで示す方向）にずれることなく支持する（外側への移動を阻止する）支持部５３が備えられている。
支持部５３は、図６乃至図９に示すように、透明板受面５２の奥行き方向側端縁から一体で、かつ前記透明板離脱防止片１２ｂの外側の面と略平行で高さ方向に立設した所定領域の平坦壁とし、本実施例では、透明板受面５２の端縁全域から立設している。
【００３９】
そして本実施例では、図６乃至図９に示すように、前記支持部５３の上端に、離脱した透明板４を透明板受面５２へと案内する案内部５４を一体に有しており、該案内部５４は、透明板受面５２方向へ向けて下り傾斜状の透明板ガイド面５５を有している。
透明板ガイド面５５の傾斜角度は特に限定されず本発明の範囲内で設計変更可能である。このような透明板ガイド面５５を備えることにより、離脱した透明板４が透明板受面５２から外方にずれたときに、透明板４を案内部５４の透明板ガイド面５５に沿って、透明板受面５２へと自重により案内することができる。
【００４０】
本実施例における透明板ガイド面５５は、図７に示すように、透明板保持枠３の開放側寄りの端部５５ａから回動軸側寄りの端部５５ｂへ向けて昇り傾斜状に構成されている。
透明板ガイド面５５をこのように構成することで、離脱した透明板４は、例えば開放側保持部材１３の上端位置付近（図１６で符号Ｘで示す位置）のみで保持され、背面視で右上がり状となるため、透明板４の下端に沿って透明板ガイド面５５で受け止めやすくなり、より確実に透明板受面５２への透明板４の案内を行うことができる。
【００４１】
また、本実施例における透明板ガイド面５５は、図６、図８及び図９に示すように、透明板保持枠３の開放側寄りの端部５５ａから回動軸側寄りの端部５５ｂに行くに従って、幅広状に形成されている。透明板ガイド面５５をこのように構成することで、離脱した透明板４が、開放側保持部材１３と接している一点Ｘを支点として平面方向に移動した場合（図１６参照）に、透明板ガイド面５５によって効率よくサポートすることができる。
この幅広形状は特に限定されるものではなく、本発明の範囲内で設計変更可能である。
なお、この透明板ガイド面５５の奥行き方向と高さ方向の幅は遊技機内の他の部材との干渉がない範囲内で最大限確保すると好ましい。
【００４２】
また本実施例では、回動軸側保持部材１２の側方に傾動制限部５６を備えている。
【００４３】
傾動制限部５６は、前記透明板嵌装可能部１５の上方から前記開放側保持部材１３に沿って嵌装中の透明板４が回動軸１０方向へと傾動する傾動作動を制限する。
すなわち、例えば、開放側保持部材１３に沿って透明板４を嵌装している最中に、透明板４が回動軸１０方向に傾き、透明板４の下方側が前記保持部材１３から離脱したとすると、そのまま回動軸１０方向へと傾いた状態で移動してしまうことがある。このとき、透明板４が奥行き方向（下部分の保持部材に交差する方向）にずれることなく傾動した場合には、回動軸側保持部材１２にて傾動が制限されるが、奥行き方向にずれた状態で傾動してしまうと、回動軸側保持部材１２を避けて移動してしまうため、回動軸１０方向に位置する他の部材に接触して透明板を破損したり、あるいは接触した他の部材を破損したりしてしまう虞がある。また、回動軸１０方向に傾動した状態のまま閉扉してしまうことによる透明板４等の損傷の虞もある。
また、回動軸側保持部材１２方向に傾動したような場合であっても、この種の遊技機にあっては、上述したとおり回動軸側保持部材１２の中央部分は、ヒケ等の防止のために一部切欠かれている。
従って、上述した通り、傾動移動する透明板４が、回動軸側保持部材１２方向へと移動したとしても、このような回動軸側保持部材１２の切欠き部分１２ｃに透明板４が進入してしまい、その傾動状態のまま回動軸１０方向へと移動してしまうことがある。これでは、上述した不具合が同様に生じてしまう虞がある。
そこで、本実施例ではこのような傾動制限部５６を備えて、透明板４の落下防止の実効を図るものとしている。
また、この種の遊技機にあっては、透明板保持枠３を閉扉したときに、該透明板保持枠３と遊技機本体枠（外枠１と内枠２からなる）との間にわずかな隙間が生じてしまう。
このようなわずかな隙間は、不正行為者の標的にされ易く、その隙間から針金などの異物を挿入して不正操作をしたり、あるいは嫌がらせから異物を侵入したりすることもある。本実施例では、このような不正行為などを阻止することも可能である。
【００４４】
傾動制限部５６は、透明板保持枠３のベース板３ｄの裏面側で、回動軸側保持部材１２の側端に近接して一体に立設され、前記透明板保持枠３と略同一高さ寸法を有する。
また、傾動制限部５６は、回動軸側保持部材１２よりも奥行き方向奥側（後方）に、所定領域突出している。
本実施例の傾動制限部５６は、回動軸側保持部材１２の側端近傍で、該保持部材１２と直交状に位置する横壁５６ａと、該保持部材１２と平行状に位置する縦壁５６ｂとからなる横断平面視略Ｌ字形状を有している。なお、図中５６ｃは、前記横壁５６ａと縦壁５６ｂの高さ方向にわたり、所定領域毎に補強上で設けられているリブである。
なお、この縦壁５６ｂの回動軸側保持部材１２の端縁から突出する程度は特に限定はされないが、遊技機内の他の部材との干渉がない範囲内で最大限突出できるようにすることが好ましい。また、本実施例では、図示しないが、この傾動制限部５６の透明板接触領域に、離脱した透明板４の接触時の衝撃を緩和する緩衝部材を備えることも本発明の範囲内である。緩衝部材としては、離脱時の透明板の衝撃を吸収緩和し得るものであれば、ゴム、合成樹脂など所定の材料から構成されるものが適用可能である。配設領域も限定されず、透明板受面５２の全域であっても、部分的であってもよい。
【００４５】
開放側保持部材１３は、例えば透明板保持枠３の回動軸１０側に向けて開放した二本の平行なレール部１３ａ，１３ａを内面側に備えて窓部９の縦方向開口幅Ｈ１よりも長尺状に樹脂材料をもって形成されており、該夫々のレール１３ａ，１３ａの上下端部は上下方向に向けて開放されている。
そして、前記透明板保持枠３裏側の開放側１６（図２乃至図４にて、透明板保持枠３の裏側から見て正面視左側）にて、透明板保持枠３の開放側縦枠部３ｂと平行で、かつ窓部９よりも開放側１６寄りに取り付けられている。なお、開放側保持部材１３のレール部１３ａは、前記回動軸側保持部材１２のレール部１２ａと、その開口側を相対向して位置するものとしている。
そして、本実施例では、図３及び図１０に示すように、長さ方向の略中心位置に、後述する移動補助部材２５を横方向に摺動可能に挿入配設する移動補助部材用貫通孔１７が外面側から内面側に貫通して設けられている。
【００４６】
移動補助部材用貫通孔１７は、図３及び図１０に示すように、移動補助部材２５の本体２６及び該本体２６に備えられた脱落防止部３９が挿通可能な長尺矩形状の第一貫通孔１８と、該移動補助部材２５に備えられた保持部４５が挿通可能な幅狭矩形状の第二貫通孔１９で構成されている。この第二貫通孔１９は、本実施例では、第一貫通孔１８の上下方向両側に一つずつ設けられている。
【００４７】
また、この第一貫通孔１８には、図１０に示すように、第一貫通孔１８の上下方向両側縁内面に、前記脱落防止部３９の脱落防止用係止片４２が係止可能な脱落防止用係止受部１８ａを備えている。また、各第二貫通孔１９には、第二貫通孔１９の上下方向側縁内面に、前記保持部４５の保持用係止片４８が係止可能な保持用係止受部１９ａを備えている。
前記脱落防止用係止受部１８ａと保持用係止受部１９ａの夫々の係止面１８ｂ，１９ｂ位置は、本実施例では、同一平面上に備えられるのではなく、図１０に示すように、横方向に前後して備えられており、本実施例では、前記脱落防止用係止受部１８ａの係止面１８ｂが、保持用係止受部１９ａの係止面１９ｂよりも開放側１６に備えられている。なお、脱落防止用係止片４２と保持用係止片４８の長さを調整することによって、前記脱落防止用係止受部１８ａと保持用係止受部１９ａの夫々の係止面１８ｂ，１９ｂ位置を同一平面位置とすることも可能である。
【００４８】
下部分側保持部材１４は、図２乃至図９に示すように、例えば透明板保持枠３の上端側に向けて開放した二本の平行なレール部１４ａ，１４ａを内面側に備えて窓部９の横方向開口幅Ｗ１よりも長尺状に金属材料をもって形成されており、該夫々のレール部１４ａの左右端部は左右方向に向けて開放されている。
そして、前記透明板保持枠３の下部分（図２にて、透明板保持枠３の裏側から見て正面視下側）にて透明板保持枠３の横枠部３ｃと平行で、かつ窓部９よりも下方に取り付けられている。この場合、レール部１４ａの開口位置は、前記回動軸側保持部材１２のレール部１２ａと開放側保持部材１３のレール部１３ａと直交して連通している。
【００４９】
図２に示すように、前記回動軸側保持部材１２の内面側と開放側保持部材１３の内面側の間隔Ｌ１は、前記透明板嵌装可能部１５の透明板保持枠３の開放側１６に寄せた状態で上方から嵌装した透明板４を、前記透明板保持枠３の回動軸１０側に移動（図２で向かって右方向へ移動）させることによって透明板取付位置２０に取り付けるための移動空間Ｌ２を確保して構成されている。
すなわち、回動軸側保持部材１２の内面側と開放側保持部材１３の内面側の間隔Ｌ１は、嵌装される透明板４の横幅Ｗ２よりも大きく構成されている（図２参照）。
【００５０】
そして、本実施例において、前記回動軸側保持部材１２の上端には、図２乃至図４に示すように、透明板嵌装可能部１５からの透明板４の所定範囲における嵌装を阻止する嵌装阻止部２１が設けられている。
【００５１】
嵌装阻止部２１は、本実施例において、回動軸側保持部材１２の上端を覆う程度の平板状に、該回動軸側保持部材１２の上端に一体成形されている。
従って、本実施例では、嵌装阻止部２１の遊端側２１ａと開放側保持部材１３との間で形成された空間Ｌ３を透明板嵌装可能部１５としている。
透明板嵌装可能部１５の横幅（前記空間Ｌ３）は、本実施例では、前記透明板４を嵌装可能に透明板４の幅寸法（横幅Ｗ２）と略等しく構成されている。
【００５２】
また、前記回動軸側保持部材１２の上方には、前記透明板取付位置２０に透明板４を取り付けた状態で、該透明板４の上方への離脱を阻止する離脱阻止部２２が備えられている。
なお、本実施例において離脱阻止部２２は、回動軸側保持部材１２と一体成形されている前記嵌装阻止部２１が兼ねている。
すなわち、前記嵌装阻止部２１は、透明板嵌装可能部１５の上方から透明板４を嵌装する際には、その嵌装阻止部２１が備えられている分だけ、開放側１６に寄った位置から透明板４を嵌装させることとなるため、ランプ飾り２４やスピーカ２３及びこれらの配線等との干渉を極力避けることができ、また、嵌装した透明板４が透明板取付位置２０に到達した後には、前記嵌装阻止部２１が、透明板４の上方への移動を阻止する離脱阻止部２２として作用する。
【００５３】
前記透明板保持枠３に備えられる移動補助部材２５は、図３及び図１０乃至図１３に示すように、透明板保持枠３に設けられた移動補助部材用貫通孔１７に、横方向にスライド可能（開放側１６から回動軸１０側に向けてスライド可能）に備えられており、透明板嵌装可能部１５から嵌装した透明板４を、回動軸１０側の透明板取付位置２０へと摺動移動させる。
【００５４】
移動補助部材２５は、前記移動補助部材用貫通孔１７にスライド自在に嵌り合うように、例えば合成樹脂材をもって形成した移動補助部材本体２６と、該本体２６の側方に、該本体２６と同一材料をもって一体成形された一対の脱落防止部３９と一対の保持部４５とで構成されている。
【００５５】
移動補助部材本体２６は、例えば本実施例によると、図１１及び図１２に示すように、長尺矩形状の操作部２７と、該操作部２７の前面両端部に保持部配設スペース２８，２８を残して立上げ形成した第一立上り部２９と、該第一立上り部２９の前面から段差をもって立上げ形成した第二立上り部３０と、該第二立上り部３０の前面両端部に脱落防止部配設スペース３１，３１を残して立上げ形成した先端部３２とで構成されており、該先端部３２には、前記透明板４と当接する長尺平坦状の当接部３３を備えて構成されている。
また、本実施例では、移動補助部材本体２６は、内部に支持部３４を備えるとともに、該支持部３４と操作部２７との間を中空状に形成して構成されている。
【００５６】
当接部３３は、本実施形態では、二枚の透明板４，４を同時に押圧して摺動させることの可能な幅をもって構成されているとともに、前記透明板４からの衝撃を緩衝する緩衝部３５構造を備えている。
【００５７】
緩衝部３５は、例えば所定の肉厚を有するゴム若しくは軟質合成樹脂材からなる板状部材で構成され、前記先端部３２の前面全域に備えられている。なお、緩衝部３５は、透明板４からの衝撃を吸収できる材料で構成されるものであれば特に限定はされず設計変更可能である。
本実施例では、当接部３３全体を弾性部材からなる緩衝部３５としているが、当接部３３の前面の一部に別途形成した緩衝部を貼着してなるものであってもよく、あるいは断続状の複数部材で構成されているものであってもよく、少なくとも透明板４と当接する面が弾性部材からなるものであれば本発明の範囲内で設計変更可能である。
また、本実施例では、透明板４の側面を透明板保持枠３の開放側１６位置から押圧することにより摺動させるとともに、該透明板４を透明板取付位置２０にて取り付けた状態で、該透明板４を回動軸１０方向へと付勢する付勢部材３６を備えている。
【００５８】
付勢部材３６は、図１１に示すように、前記移動補助部材本体２６の内部に備えた支持部３４と、前記当接部３３とにわたって配設された連結部材（ボルト）３７と、該連結部材３７の軸外周に巻回されて、支持部３４の当接部対向面側３４ａと当接部３３の支持部対向面側３３ａとにわたって介在された弾性部材（バネ）３８とからなる。なお、連結部材３７の後端には、支持部３４の外面側に突き当てられる抜止め阻止部（ボルト頭）３７ａが備えられている。
前記連結部材３７は、支持部３４の挿通孔３４ｂ内を孔方向に移動可能に配設されるとともに、その先端側を前記当接部３３に固定して備えられている。
【００５９】
従って、当接部３３は、透明板４を押圧した時に、該当接部３３先端の緩衝部３５に押圧力（衝撃）が掛かるが、押圧力によって支持部３４側（開放側１６）に向けて緩衝部３５が弾性変形して衝撃を緩衝する。そして、透明板４を透明板取付位置２０に到達させた時に、弾性部材３８が圧縮されてその反発力を介して当接部３３によって透明板４を回動軸側保持部材１２のレール部１２ａに緊密に押圧する（図１１で実線は弾性部材３８が圧縮されて当接部３３が後退している状態を示し、破線は押圧されていない状態で、当接部３３が前進している状態を示す。）。
なお、本実施例では、付勢部材３６を構成する連結部材３７と弾性部材３８を、上下方向に一定間隔をあけて夫々一組ずつ備えているが、連結部材３７と弾性部材３８からなる構成を一組のみ設けるものであっても、あるいは二組以上設けるものであってもよく、本発明の範囲内で設計変更可能である。
【００６０】
脱落防止部３９は、透明板保持枠３からの移動補助部材２５の脱落を防止するもので、本実施例では、次に示す構成を採用している。
脱落防止部３９は、例えば本実施例では図１１及び図１２に示すように、夫々前記移動補助部材本体２６の上下の脱落防止部配設スペース３１から直交状に突設し、弾性変形可能な平板状の舌片４０と、該舌片４０の先端外面に設けた係止部４１を備えた脱落防止用係止片４２を備えて構成されている。該係止部４１は、前記舌片４０の先端から外側に向けて傾斜状に形成したガイド面４３と、該ガイド面４３から舌片４０の外面方向に向けて垂設された係止面４４で構成されている。
【００６１】
前記脱落防止用係止片４２の係止部４１の係止面４４が、透明板保持枠３に設けた脱落防止用係止受部１８ａに係止されることで移動補助部材２５の脱落が防止されるとともに、舌片４０を弾性変形させてその係止状態を解除することにより、前記脱落防止用係止受部１８ａより離脱して透明板保持枠３に対して移動補助部材２５を取り外し可能としている。
【００６２】
保持部４５は、例えば本実施例では図１１及び図１２に示すように、移動補助部材２５を介して押圧している透明板４を透明板取付位置２０にて保持するためのもので、本実施例では、次に示す構成を採用している。
前記移動補助部材本体２６の上下の保持部配設スペース２８，２８から直交状に突設し、弾性変形可能な平板状の舌片４６と、該舌片４６の先端外面に設けた係止部４７を備えた保持用係止片４８を備えて構成されている。該係止部４７は、前記舌片４６の先端から外側に向けて傾斜状に形成したガイド面４９と、該ガイド面４９から舌片４６の外面方向に向けて垂設された係止面５０で構成されている。
前記保持用係止片４８の係止部４７の係止面５０が、透明板保持枠３に設けた保持用係止受部１９ａに係止されることで移動補助部材２５の開放側１６方向への移動を阻止して透明板４を所定の取付位置２０に保持させるとともに、舌片４６を弾性変形させてその係止状態を解除することにより、前記保持用係止受部１９ａより離脱して透明板４の透明板取付位置２０における保持状態を解除可能としている。
【００６３】
また、本実施例では、脱落防止部３９と保持部４５の両構成により、移動補助部材２５が透明板４を透明板取付位置２０にて保持しているとき（図１３（ｂ）の状態）には、透明板保持枠３の裏側にて開放側１６端部から移動補助部材２５が突出することなく保持されるものとし、移動補助部材２５を開放側１６に移動させて透明板４を取り外した状態のままのとき（図１３（ａ））には、移動補助部材２５が透明板保持枠３の開放側１６端部から突出した状態となるように構成している。従って、前記したように透明板４を透明板取付位置２０に保持した状態であれば遊技機本体枠に対して透明板保持枠３が閉扉可能であるが、移動補助部材２５を開放側１６に移動させて透明板４をはずした状態のままでは、開放側１６端部から突出する移動補助部材２５が邪魔になって閉扉不可能である。これにより、透明板４の取り付け忘れや取付位置へのセット忘れを作業者に注意させることができる。
【００６４】
移動補助部材２５は、本実施例において、透明板保持枠３の長さ方向略中央位置に備えられているが、その配設位置は特に限定されず任意である。
移動補助部材２５は、本実施例において、前記透明板保持枠３に備えられているが取付位置には特に限定されない。また、透明板移動作業の度に用いられる別個の構成としてもよく本発明の範囲内で設計変更可能である。
本実施例において、移動補助部材２５は、透明板４を押圧して横方向（回動軸１０方向）へ移動させる構成としているが、他の構成を採用することを何等妨げるものではなく、例えば、透明板４を透明板嵌装可能部１５の上方から挟持して横方向へとスライド移動させる構成とすることも可能である。
なお、本実施例では移動補助部材２５を用いる実施の一例を説明したが、移動補助部材を用いない構成を採用することも本発明の範囲内である。
【００６５】
脱落防止部３９と保持部４５は、移動補助部材２５と一体成形されていなくともよい。
なお、本実施例では、前記脱落防止部３９に、弾性変形可能な脱落防止用係止片４２を備えるとともに、透明板保持枠３に、前記脱落防止用係止片４２に係止される脱落防止用係止受部１８ａを備えた形態を採用するが、少なくとも、透明板保持枠３と脱落防止部３９のうちのいずれか一方に脱落防止用係止片を、他方に脱落防止用係止受部を備えるものであればよく限定されず、また、透明板保持枠３と脱落防止部３９の双方に、夫々脱落防止用係止片と脱落防止用係止受部を備える形態も採用可能である。
なお、本実施例では、前記保持部４５に、弾性変形可能な保持用係止片４８を備えるとともに、透明板保持枠３に、前記保持用係止片４８に係止される保持用係止受部１９ａを備えた形態を採用するが、少なくとも、透明板保持枠３と保持部４５のうちのいずれか一方に保持用係止片を、他方に保持用係止受部を備えるものであればよく限定されず、また、透明板保持枠３と保持部４５の双方に、夫々保持用係止片と保持用係止受部を備える形態も採用可能である。
なお、本実施例では脱落防止部３９と保持部４５を備える実施の一例を説明したが、脱落防止部３９と保持部４５を備えない構成を採用することも本発明の範囲内である。
【００６６】
さらに、本実施例では、脱落防止部３９の脱落防止用係止片４２が、開放側保持部材１３の脱落防止用係止受部１８ａに係止されている状態のとき、移動補助部材２５の一部が透明板保持枠３の開放側１６端部から突出し、該突出部分（図１３（ａ）で突出部分を符号Ｗ３で示す）が邪魔となって透明板保持枠３の閉扉が不可能であるとすることによって、透明板４の取付け忘れや取付位置へのセット忘れを作業者に注意させる構成としているが、このような構成を採用しないことも本発明の範囲内である。すなわち、脱落防止部３９の脱落防止用係止片４２が、開放側保持部材１３の脱落防止用係止受部１８ａに係止されている状態のときであっても、移動補助部材２５が透明板保持枠３の開放側１６端部から突出しない構成とすることも可能である。
【００６７】
なお、実施例１では、回動軸側保持部材１２の上端に透明板嵌装阻止部２１・離脱阻止部２２を一体的に備える形態としているが、いずれか一方のみを備える形態であってもよく、またいずれをも備えない形態を採用することも本発明の範囲内で可能である。さらに、透明板嵌装阻止部２１・離脱阻止部２２は、回動軸側保持部材１２と別体に形成されているものであってもよい。
【００６８】
また、前記離脱阻止部２２は、回動軸側保持部材１２と別部材によって構成され、下方にのみ可動可能に取り付けられ、上方への可動は阻止される構造を採用することも本発明の範囲内で可能である。
すなわち、特に図示はしないが、例えば二枚の透明板の上端を同時に覆う程度の前後方向幅をもって板状に形成するとともに、回動軸１０側の端縁を回動可能に回動軸側保持部材１２の上端に軸支して離脱阻止部を構成することも可能である。そして、該離脱阻止部は、弾性部材によって前記軸支部分を中心に上方に付勢させ、回動軸側保持部材１２の上端には、開放側保持部材１３方向に向けて延設した左右の支持部と、該支持部から水平方向に対向する前後の抑え舌片を突設し、該前後の舌片に前記離脱阻止部の上面の少なくとも一部が当接して上方への可動を阻止する構成が一例として挙げられる。
なお、本実施例では付勢部材３６を備える実施の一例を説明したが、付勢部材３６を備えない構成を採用することも本発明の範囲内である。
【００６９】
ここで、図に基づいて透明板の着脱作業の一例、および透明板の着脱作業時に透明板が離脱した場合の透明板落下防止部と傾動制限部の作用について説明する。
【００７０】
まず、透明板保持枠３を回動軸１０を支点に回動させて開放する。
そして、透明板４を、透明板保持枠３裏側の保持部材１１上方から嵌装する。このとき、回動軸側保持部材１２の上端には嵌装阻止部２１が備えられていることから、該嵌装阻止部２１を避けなければ透明板４は保持部材１１内に嵌装できない。
従って、透明板４の嵌め込み作業にあっては、図２乃至図４に示すように、必然的に嵌装阻止部２１を避けて、該嵌装阻止部２１の分だけ回動軸１０側から離れた位置に開放されている透明板嵌装可能部１５から透明板４の嵌め込み作業を行うこととなる。これにより、ランプ飾りやスピーカなどの演出装置（本実施例にあっては、内枠２の上方に備えたスピーカ２３）及び透明板保持枠３に備えられた演出装置（本実施例にあってはランプ飾り２４）と接続するための配線などに干渉する虞も少なくなる。
【００７１】
そして、保持部材１１内に嵌装された透明板４は、次に移動補助部材２５によって透明板取付位置２０方向へと押圧して摺動される。すなわち、図１３（ａ）及び図１４（ａ）に示すように、透明板嵌装可能部１５から嵌装した状態の透明板４は、開放側保持部材１３に沿って位置し、そして移動補助部材２５は、透明板保持枠３に設けられている第一貫通孔１８内を予め開放側１６方向へと突出状に移動させて待機状態とするとともに、脱落防止部３９の脱落防止用係止片４２が、透明板保持枠３に設けられている第一貫通孔１８の脱落防止用係止受部１８ａに係止して脱落することなく保持されている。
【００７２】
そして、図１３（ａ）及び図１４（ａ）に示す状態から、図１３（ｂ）及び図１４（ｂ）に示すように、移動補助部材２５を回動軸１０側方向（図面にて矢印で示す右方向）へと移動させるとともに、該移動補助部材２５の当接部３３によって透明板４を回動軸側保持部材１２方向へと押圧移動させて透明板取付位置（回動軸側保持部材１２のレール部１２ａ）２０へと押圧配設する。このとき、当接部３３に掛かった透明板４との衝撃は緩衝部３５の弾性変形によって緩衝される。
【００７３】
そして、透明板４が透明板取付位置２０に到達したときに、付勢部材３６の弾性部材３８が圧縮され、その反発力を介して当接部３３が透明板４を回動軸側保持部材１２のレール部１２ａに緊密に押圧し、透明板４のぐらつきを無くす。
そして、保持部４５の保持用係止片４８が、透明板保持枠３に設けられている第二貫通孔１９裏面側の保持用係止受部１９ａに係止される。
これにより、移動補助部材２５は透明板４を透明板取付位置２０に押圧保持するとともに、前記保持用係止片４８が前記保持用係止受部１９ａに係止されて移動補助部材２５と透明板４の開放側１６への移動が阻止される。
また、このとき、透明板４を手などで上方へスライドさせようとしても、透明板４の上端は離脱阻止部２２に当接し、透明板４の上方への移動が阻止されスライド不能となっている。このため、透明板４を上方へスライドさせてピアノ線などを挿入させるなどの不正を防止することができる。
【００７４】
本実施例によれば、このような構成及び作用効果を奏するため、先行技術との関係において次のような課題を解決することが出来る。すなわち、透明板嵌装部を介して透明板を上方より嵌装する際に、前記回動軸１０側に取り回されている各種配線や、遊技機本体枠上方のランプ飾り，スピーカなどに干渉する虞があることから、これら干渉による不都合を解消するためには、回動軸１０側に備えられる保持部材を、該回動軸１０側から十分に離した位置に備えて透明板保持枠における回動軸１０側のスペースを十分に確保しなければならない。このような状況下では、透明板の取り付け位置が限定されてしまうため、回動軸１０側の透明板保持枠内側における視認性が低下し、遊技盤における装飾効果を向上させることが困難であった。
本実施例に開示の遊技機によれば、透明板保持枠３の回動軸１０側（ヒンジ側）により近い位置に回動軸側保持部材１２を備え、透明板４を回動軸１０側により近い位置に取り付けることができる。従って、前記回動軸１０側における遊技盤の視認性を向上することができるため、遊技機の装飾効果を向上させることが可能となる。
【００７５】
また、本実施例によれば、透明板４を嵌装している最中に、該透明板４が開放側保持部材１３から離脱すると、透明板４と下部分側保持部材１４との平面上での位置関係が異なってしまう。このような状況下では、透明板４は、保持部材から遊技機外へと落下してしまう。
しかし、その落下途中に配設した透明板落下防止部５１の透明板受面５２によって透明板４が受け止められるため、遊技機から落下することを防止することができる。また、本実施例によれば、透明板受面５２によって受け止められた透明板４を、該透明板受面５２から高さ方向に立設した透明板支持部５３によって奥行き方向のずれ落ちが防止できる。
また、透明板受面５２よりも奥行き方向に透明板４がずれて落下しても、本実施例によれば透明板受面５２から連続して立設している透明板支持部５３の上端からさらに奥行き方向に連続して設けられている透明板案内部５４によって透明板４を受けることができるため、透明板４の落下防止が有効に図り得る。
さらに、本実施例によれば、その透明板案内部５４に透明板受面５２に向けて傾斜状の透明板ガイド面５５を有しているため、該透明板ガイド面５５で受けた透明板を透明板受面５２方向へと案内し、透明板支持部５３によってずれ落ちを防止することができる。
【００７６】
さらに、透明板４を開放側保持部材に沿って嵌装している最中に、透明板４が回動軸１０方向に傾き、透明板４の下方側が前記保持部材から離脱したとすると、そのまま回動軸１０方向へと傾いた状態で移動してしまうことがある。このとき、奥行き方向にずれた状態で傾動してしまうと、回動軸１０側の保持部材を避けて移動してしまうため、回動軸１０方向に位置する他の部材に接触して透明板４を破損したり、あるいは接触した他の部材を破損したりしてしまう虞がある。
しかし、本実施例によれば、回動軸側保持部材の側端で、該回動軸側保持部材よりも奥行き方向に突出している傾動制限部が、その回動軸１０方向に傾いてずれた透明板４を受けて、それ以上の進行を阻止できる。従って、離脱した透明板４が他の部材と接触したりすることも阻止できる。
また、回動軸１０方向に傾動した状態のまま閉扉してしまうことによる透明板４等の損傷の虞もなく安全性に優れている。
また、回動軸１０側の保持部材方向に傾動し、回動軸側保持部材の切欠き部分に透明板４が進入したとしても、傾動制限部によってそれ以上の進行を阻止することができる。
また、透明板保持枠を閉扉したときの、該透明板保持枠と遊技機本体枠（外枠と内枠からなる）との間に生じるわずかな隙間から針金などの異物を挿入して不正操作をしたり、あるいは嫌がらせから異物を侵入したりしようとしても、本実施例によれば回動軸側保持部材の近傍で、透明板保持枠の高さ寸法と略同一寸法をもって備えられている傾動制限部が、遊技機内への異物の侵入を阻止する。
「変形例１」
【００７７】
上述した実施例１は本発明の一例であって、次の構成を採用することも可能である。
【００７８】
透明板落下防止部５１の透明板受面５２は、本実施例では、下部分側保持部材１４と略平行な平坦面としているが、離脱した透明板４を上面にて受けることが可能な面を有しているものであれば良く、図示例に何等限定されず、例えば透明板離脱防止片１２ｂの外側の面に向けて傾斜する面としても良く、あるいは側面視略Ｖ字形状やＵ字形状に形成することも可能である。
また、上述した側面視Ｖ字形状やＵ字形状の外側の一片を側面視Ｓ字状に形成し、その弾性を利用してその側面視Ｓ字状の一片を透明板離脱防止片１２ｂに押圧する構成を採用してもよい。このような構成によれば、離脱した透明板４を挟持して透明板４の落下を有効に防止できる。
【００７９】
また、本実施例では、透明板受面５２の端縁全域から透明板支持部５３を立設しているが、一部若しくは断続的に立設する形態であってもよく、また、その立設高さも特に限定されない。
さらに、本実施例では、透明板受面５２の端縁から略垂直に立設しているが、傾斜状に立設する形態であってもよい。その場合の傾斜状態も、基端側から外方に向けて昇り傾斜状であっても、基端側から透明板離脱防止片１２ｂ方向に向けて昇り傾斜状であってもよい。
また、前記実施例では、透明板支持部５３の上端に透明板案内部５４を備えているが、透明板案内部５４がなく前記透明板支持部５３のみで構成されていてもよい。
【００８０】
また、前記実施例では、透明板案内部５４の透明板ガイド面５５を透明板受面５２方向に向けて下り傾斜状に形成しているが、透明板ガイド面５５は傾斜していなくてもよい。
また、透明板ガイド面５５の傾斜角度は、透明板保持枠３の開放側寄りの端部５５ａから回動軸１０側寄りの端部５５ｂまでにおいて同一傾斜角度でないものも本発明の範囲内であり、例えば前記開放側寄りの端部５５ａから回動軸１０側寄りの端部５５ｂに行くにしたがって、傾斜が緩やかになっているものや、逆に傾斜がきつくなっているものも本発明の範囲内である。
また、前記実施例では透明板ガイド面５５は開放側寄りの端部５５ａから回動軸１０側寄りの端部５５ｂに向けて昇り傾斜状に形成しているが、昇り傾斜状でなくてもよい。また、前記実施例では、透明板ガイド面５５は開放側寄りの端部５５ａから回動軸１０側寄りの端部５５ｂに向けて幅広状に形成しているが、幅広状に構成されていなくてもよい。
前記実施例では、透明板受面５２から透明板支持部５３を立設しているが、透明板支持部５３がなく前記受面５２のみで構成されていてもよい。
「変形例２」
【００８１】
前記実施例では、傾動制限部５６をベース板３ｄの裏面側から一体に立設しているが、回動軸側保持部材１２の周囲に一体に立設することも可能である。
また、ベース板３ｄや回動軸側保持部材１２とは別体に形成し、別途取付固定するものであってもよい。
本実施例では、透明板保持枠３と略同一高さ寸法をもって立設しているが、透明板４が離脱する虞のある位置にのみ設けるものであればよく、また断続的に立設してもよい。
さらに、傾動制限部５６の外側に返しを設けて異物の侵入をさらに困難なものとすることも可能である。
【図面の簡単な説明】
【００８２】
【図１】本発明遊技機の概略を示す全体斜視図。
【図２】透明板を嵌装した状態の透明板保持枠の背面図。
【図３】透明板を嵌装した状態の透明板保持枠を裏側から見た状態の斜視図。
【図４】透明板を嵌装した状態の透明板保持枠を裏側から見た状態の斜視図。
【図５】透明板を嵌装した状態の透明板保持枠の横断平面図。
【図６】図５の要部を示す拡大断面図。
【図７】要部を示す部分拡大背面図。
【図８】要部を示す背面部分拡大斜視図。
【図９】要部を示す背面部分拡大斜視図。
【図１０】移動補助部材用貫通孔を拡大して示す部分斜視図で、（ａ）は移動補助部材挿入方向から見た状態を拡大して示し、（ｂ）は裏側から見た状態を拡大して示す。
【図１１】移動補助部材の概略正面図。
【図１２】移動補助部材の概略斜視図で、（ａ）は操作部方向から見た状態の斜視図、（ｂ）は当接部方向から見た状態の斜視図。
【図１３】移動補助部材の作動状態を示す部分拡大概略図で、（ａ）は移動補助部材を開放側に移動させるとともに、脱落防止用係止片が脱落防止用係止受部に係止されている状態、（ｂ）は移動補助部材回動軸側に移動して透明板を取付位置に押圧するとともに、保持用係止片が保持用掛止受部に係止されている状態を示す。
【図１４】透明板の取り付け作動状態の概略図で、（ａ）は透明板を透明板嵌装可能部から嵌装した直後の状態を示し、（ｂ）は透明板が透明板取付位置に移動して押圧保持されている状態を示す。
【図１５】透明板の嵌装状態を示す一部省略斜視図で、（ａ）は回動軸側保持部材の上端付近を拡大して示し、（ｂ）は開放側保持部材の上端付近を拡大して示す。
【図１６】本実施例の透明板落下防止部の作用を示す概略背面図。
【図１７】従来例の透明板嵌装状態を示す概略背面図。
【符号の説明】
【００８３】
３  透明板保持枠
４  透明板
１０  回動軸
１１  透明板保持部材
１２  回動軸側保持部材
１３  開放側保持部材
１４  下部分側保持部材
１５  透明板嵌装可能部
５１  透明板落下防止部
５２  透明板受面
５３  透明板支持部
５４  透明板案内部
５５  透明板ガイド面
【図１】
2007020946.tif 000003
【図２】
2007020946.tif 000004
【図３】
2007020946.tif 000005
【図４】
2007020946.tif 000006
【図５】
2007020946.tif 000007
【図６】
2007020946.tif 000008
【図７】
2007020946.tif 000009
【図８】
2007020946.tif 000010
【図９】
2007020946.tif 000011
【図１０】
2007020946.tif 000012
【図１１】
2007020946.tif 000013
【図１２】
2007020946.tif 000014
【図１３】
2007020946.tif 000015
【図１４】
2007020946.tif 000016
【図１５】
2007020946.tif 000017
【図１６】
2007020946.tif 000018
【図１７】
2007020946.tif 000019